(57)【要約】【課題】良好な美観を得ることができ、照明具の取替作業も容易に行える照明付き手摺装置を提供する。【解決手段】本発明の手摺装置は、側壁２に所定間隔おきに取り付けられる複数のブラケット４と、各ブラケット４に支持される手摺棒６とを備える。ブラケット４に照明具用凹部４２が設けられ、その凹部４２内に照明具５が収容される。凹部４２の内周面に雄側結合端子部材５３ａが設けられ、照明具５に雌側結合端子部材５３ｂが設けられる。両結合端子部材５３ａ、５３ｂが着脱自在に結合されることにより、照明具５が照明具用凹部４２内で支持固定される。照明具用凹部４２の開口部４２ａに、その開口部４２ａを閉塞する態様に透光性の凹部カバー４ｂが着脱自在に取り付けられる。【選択図】　　　図２
2004060252.tif 000002
【特許請求の範囲】
【請求項１】
通路側部の側壁部に、通路側に突出した状態で通路に沿って所定の間隔おきに設けられる複数のブラケットと、
前記複数のブラケットを跨るように配置された状態で、各ブラケットに支持される手摺棒とを備え、
前記ブラケットに、通路側に向けて開口する照明具用凹部が設けられるとともに、その凹部内に照明具が収容され、
前記ブラケットにおける照明具用凹部の内周面に一方側結合端子部材が設けられるとともに、前記照明具に他方側結合端子部材が設けられ、
前記他方側結合端子部材が、前記一方側結合端子部材に着脱自在に結合されることにより、前記照明具が前記照明具用凹部内で支持固定される一方、
前記照明具用凹部の開口部に、その開口部を閉塞する態様に透光性の凹部カバーが着脱自在に取り付けられてなることを特徴とする照明付き手摺装置。
【請求項２】
前記照明具は、支持部材と、その支持部材の一端に固定された照光体と、前記支持部材の他端に固定された前記他方側結合端子部材とを具備し、
前記他方側結合端子部材が前記一方側結合端子部材に結合された状態では、前記照光体が、前記支持部材を介して前記照明具用凹部内の所定位置に配置されるよう構成されてなる請求項１記載の照明付き手摺装置。
【請求項３】
前記側壁部は、その表面に通路に沿って取り付けられる支持基板を有し、その支持基板に前記ブラケットが取り付けられ、
前記支持基板に通路側に向けて開口する配線用溝が長手方向に沿って設けられるとともに、その配線用溝に前記一方側結合端子部材に接続された給電線が収容され、
前記配線用溝に、その開口部を閉塞する態様に溝カバーが着脱自在に取り付けられてなる請求項１又は２記載の照明付き手摺装置。
【請求項４】
第１の固着具が、前記照明具用凹部内から前記ブラケットの下壁部を貫通して前記側壁部に固定されることにより、前記ブラケットが前記側壁部に固定されてなる請求項１ないし３のいずれかに記載の照明付き手摺装置。
【請求項５】
第２の固着具が、前記照明具用凹部内から前記ブラケットの上壁部を貫通して前記手摺棒に固定されることにより、前記手摺棒が前記ブラケットに固定されてなる請求項１ないし４のいずれかに記載の照明付き手摺装置。
【発明の詳細な説明】
【０００１】
【発明の属する技術分野】
この発明は、例えば屋内の階段、廊下、玄関等の通路に採用される照明付き手摺装置に関する。
【０００２】
【従来の技術】
戸建住宅の屋内用階段や廊下の側壁面に、歩行ガイド用や歩行補助用として設けられる手摺装置は、手摺棒がブラケットを介して側壁面に支持されるものである。このような手摺装置においては、夜間等の暗がりにおいても手摺棒の位置を容易に視認できるように、照明器具が装備されたものがある。
【０００３】
従来の照明付き手摺装置において、例えばその照明器具が手摺用ブラケットやその周辺に設けられるものとして、特開平８−１２０８７５号公報、特開平１０−３０２５４２号公報等に開示されるものが周知である。
【０００４】
しかしながら、これらの照明付き手摺装置は、照明器具の収まり具合が悪く、特に昼間等の明るい状況下において、照明器具が必要以上に目立って、良好な美観を得ることが困難であった。
【０００５】
【発明の背景】
そこで、本願出願人は、特願２００１−３５８７７５号において、美観に優れた照明付き手摺装置を提案している。
【０００６】
この手摺装置は、手摺用ブラケットに、通路側に向けて開口する凹部を形成し、その凹部内に照明用配線を収納するとともに、凹部の開口に設けられた凹部カバーの外面に、発光ダイオード等の照光体を取り付けるものである。
【０００７】
この手摺装置では、照光体がブラケットの外表面に点状に配置されるだけのものであるため、昼間等の明るい状況下においては、照光体がほとんど目立つことがなく、良好な美観を得ることができる。
【０００８】
【発明が解決しようとする課題】
しかしながら、上記提案例の手摺装置においては、照光体がブラケットの外表面に突出配置されるものであるため、歩行者やその手荷物等が照光体に接触したり引っ掛かったりして、照光体が損傷破損してしまう等の不具合が懸念されるところである。
【０００９】
更に照光体がブラケット外表面に露出されているため、照光体が歩行者に直接視認される、いわゆる直接照明となり、夜間点灯時に光源のみが過度に明るく映って、周囲の暗所とのバランスが悪くなり、照明による装飾効果等を得ることが困難であった。
【００１０】
また、照光体の球切れ等によって、照光体を取り替える場合には、凹部の閉塞カバーから照光体を取り外し、更に凹部内の給電線等も取り出して、これらを取り替える必要があり、照明具の取替作業が面倒である等、未だ改良の余地が残されている。
【００１１】
この発明は、上記の実情に鑑みてなされたもので、良好な美観を得ることができる上、照明具の損傷破損を有効に防止できて、照明具の取替作業も容易に行うことができ、更に照明による装飾効果も得ることができる照明付き手摺装置を提供することを目的とする。
【００１２】
【課題を解決するための手段】
上記目的を達成するため、この発明の照明付き手摺装置は、通路側部の側壁部に、通路側に突出した状態で通路に沿って所定の間隔おきに設けられる複数のブラケットと、前記複数のブラケットを跨るように配置された状態で、各ブラケットに支持される手摺棒とを備え、前記ブラケットに、通路側に向けて開口する照明具用凹部が設けられるとともに、その凹部内に照明具が収容され、前記ブラケットにおける照明具用凹部の内周面に一方側結合端子部材が設けられるとともに、前記照明具に他方側結合端子部材が設けられ、前記他方側結合端子部材が、前記一方側結合端子部材に着脱自在に結合されることにより、前記照明具が前記照明具用凹部内で支持固定される一方、前記照明具用凹部の開口部に、その開口部を閉塞する態様に透光性の凹部カバーが着脱自在に取り付けられてなるものを要旨としている。
【００１３】
この発明の照明付き手摺装置においては、照明具がブラケット外表面に全く露出されることがないので、良好な美観を得ることができるとともに、照明具に歩行者やその手荷物等が接触したり引っ掛かって照明具が損傷破損する等の不具合を確実に防止することができる。
【００１４】
また夜間等の点灯時において、照明具からの照明光は、透光性凹部カバーを透過することにより散乱光となるとともに、発光部が照明具用凹部内に配置されることにより、直接視認されることなく、間接照明となるため、ブラケットの通路側における所要領域が適度な明るさに照明されて、周囲の暗所とのバランスが良く、良好な装飾効果を得ることができる。
【００１５】
更に球切れ等により照明具を取り替える場合には、凹部カバーを取り外した後、照明具を抜き取って、新たな照明具を取り付けるだけで簡単に取り替えることができる。
【００１６】
本発明において、前記照明具は、支持部材と、その支持部材の一端に固定された照光体と、前記支持部材の他端に固定された前記他方側結合端子部材とを具備し、前記他方側結合端子部材が前記一方側結合端子部材に結合された状態では、前記照光体が、前記支持部材を介して前記照明具用凹部内の所定位置に配置されるよう構成されてなるものを採用するのが好ましい。
【００１７】
すなわちこの場合には、照光体を所望の位置に配置できて、その照光体の照明光によって最適な領域を照明することができるため、照明による装飾効果を向上させることができる。
【００１８】
また本発明において、前記側壁部は、その表面に通路に沿って取り付けられる支持基板を有し、その支持基板に前記ブラケットが取り付けられ、前記支持基板に通路側に向けて開口する配線用溝が長手方向に沿って設けられるとともに、その配線用溝に前記一方側結合端子部材に接続された給電線が収容され、前記配線用溝に、その開口部を閉塞する態様に溝カバーが着脱自在に取り付けられてなる構成を採用するのが良い。
【００１９】
すなわちこの構成を採用する場合、給電線を確実に隠蔽できて、より一層美観を向上させることができる。また、溝カバーを取り外すことにより、給電線の交換作業を簡単に行うことができる。
【００２０】
更に本発明においては、第１の固着具が、前記照明具用凹部内から前記ブラケットの下壁部を貫通して前記側壁部に固定されることにより、前記ブラケットが前記側壁部に固定されてなる構成、又は、第２の固着具が、前記照明具用凹部内から前記ブラケットの上壁部を貫通して前記手摺棒に固定されることにより、前記手摺棒が前記ブラケットに固定されてなる構成を採用するのが望ましい。
【００２１】
すなわちこの構成を採用する場合には、ブラケットや手摺棒を固定するための第１及び第２の固着具を確実に隠蔽することができるので、一段と美観を向上させることができる。
【００２２】
【発明の実施の形態】
図１ないし図３はこの発明の実施形態である照明付き手摺装置を示す図である。これらの図に示すように、この手摺装置は、屋内の階段や廊下等の側壁（２）に沿って施工されるものであって、側壁（２）の壁面に通路に沿って設けられる支持基板（３）と、その支持基板（３）に長さ方向に沿って所定の間隔おきに取り付けられる複数のブラケット（４）と、各ブラケット（４）に設けられる照明具（５）と、支持基板（３）に沿って配置された状態で、各ブラケット（４）に支持される手摺棒（６）とを基本的な構成要素として備えている。なお、図１においては、発明の理解を容易にするため、手摺棒（６）の支持スパン（ブラケット（４）の取付ピッチ）を実際のものよりも短く表示している。
【００２３】
支持基板（３）は、その基板（３）の主要部をなす基板本体（３ａ）と、溝カバー（３ｂ）とを備えている。
【００２４】
基板本体（３ａ）は、帯状ないしは長尺矩形状の板状体からなり、その一面（通路側の面）における幅方向（図１ないし図３において高さ方向）の中央部に、長手方向に沿って連続して直線状に延びる配線用溝（３０）が形成されている。この溝（３０）は、通路側に向けて開放する断面コ字状に形成されると共に、溝幅が、後述するブラケット本体（４ａ）の固着面（４１ｂ）よりも小さくて、かつ、後述する給電線（７）及びコネクタ（８）を収容し得る大きさに形成されている。また基板本体（３ａ）は、その通路側の面における配線用溝（３０）を挟んで上下両側縁部に、平行する２本の装飾溝（３１）（３１）が長手方向に連続して延びるように形成されている。
【００２５】
基板本体（３ａ）は、その材質が特に限定されるものではないが、合板や中質繊維板、木粉が混入された合成樹脂成形品等の木質板は、見栄えが良く、温かみも感じられるので好適に使用できる。更に基板本体（３ａ）における少なくとも露呈される側の面には、紙、合成樹脂シート等の模様印刷シートが貼着されたり、或いは着色処理、塗装処理等が施される等、任意の化粧が施されていても良い。
【００２６】
上記の基板本体（３ａ）における配線用溝（３０）の開口部（３０ａ）には、これを覆うように、上記溝カバー（３ｂ）が着脱自在に装着される。
【００２７】
図１、図２及び図４に示すように、この溝カバー（３ｂ）は、細長板状の硬質合成樹脂成形品をもって構成されている。更にこのカバー（３ｂ）は、その幅が配線用溝（３０）の開口部（３０ａ）よりも若干大きく形成される一方、その長さが隣合うブラケット（４）の取付間隔に対応して形成されている。また溝カバー（３ｂ）の裏面（通路に対し反対側の面）における上下両側縁部には、溝（３０）の内方に向けて突出する２本の鈎状係止リブ（３２）（３２）が、長手方向に沿って連続して形成されている。この鈎状係止リブ（３２）は、図４に示すように、溝（３０）の内方に向けて水平に延びる水平片（３２ａ）と、その水平片（３２ａ）の先端に、外方に張り出すように形成された係止膨出部（３２ｂ）とから構成されている。更に係止膨出部（３２ｂ）の外側面は、基板本体（３ａ）における配線用溝（３０）の内側面に当接されるよう形成されるとともに、先端に向かうに従って内側に傾斜する案内面として形成されており、後述するように、この係止リブ（３２）を介して、溝カバー（３ｂ）が配線用溝（３０）に着脱自在に装着されるよう構成されている。
【００２８】
ここで、溝カバー（３ｂ）は、その材質が特に限定されるものではなく、例えばＡＢＳ樹脂、ポリプロピレン樹脂、ポリスチレン樹脂等の合成樹脂や合成ゴム等からなるものを好適に使用することができる。
【００２９】
更にこの溝カバー（３ｂ）は、その表面（通路側の面）に、上記基板本体（３ａ）と同様、紙、合成樹脂シート等の模様印刷シートが貼着されたり、或いは着色処理、塗装処理等が施される等、任意の化粧が施されていても良い。
【００３０】
なお本実施形態においては、側壁（２）と、支持基板（３）とにより側壁部が構成されるものである。
【００３１】
ブラケット（４）は、手摺棒（６）を支持基板（３）に支持するためのものであり、ステンレス、アルミニウム合金等の金属製のブラケット本体（４ａ）と、ポリカーボネート樹脂等の合成樹脂製の凹部カバー（４ｂ）とを備える。
【００３２】
図５ないし図７に示すように、ブラケット本体（４ａ）は、斜め上方に延び、かつ先端に向かうに従って僅かに縮径する第１傾斜部（４０ａ）と、その第１傾斜部（４０ａ）の先端に設けられ、その先端から傾斜角度を増して斜め上方に延び、かつ先端に向かうに従って僅かに拡径する第２傾斜部（４０ｂ）とが一体に設けられた異形鼓型の形状を有している。また、ブラケット本体（４ａ）は、その先端部が上方に開口する円弧状の棒受け面（４１ａ）として形成され、その棒受け面（４１ａ）に手摺棒（６）を適合状態に載置できるよう構成される一方、基端部が上記支持基板（３）に取付可能な平坦な固着面（４１ｂ）として形成されている。
【００３３】
このブラケット本体（４ａ）は、先端部から基端部にかけてのほぼ全域に、正面側（通路側）に向かって開口する細長形状の照明具用凹部（４２）が設けられ、その凹部（４２）内に、後述する照明具（５）等が収容されるよう構成されている。なお言うまでもなく、この凹部（４２）の幅や深さは、特に限定されるものではなく、収容される照明具（５）の容量等を勘案して適宜決定されるものである。
【００３４】
ブラケット本体（４ａ）の上壁部には、固着具取付孔（４６）が２つ形成されている。更にブラケット本体（４ａ）の下壁部における中央には、配線孔（４９）が形成されるとともに、その孔（４９）の両側に固着具取付孔（４６）が形成されている。なお、下壁部側（固着面４１ｂ側）の取付孔（４６）及び配線孔（４９）は、照明具用凹部（４２）及びその開口部（４２ａ）を介して通路側に開放されるとともに、上壁側（棒受け面４１ａ）側の取付孔（４６）は、照明具用凹部（４２）及びその開口部（４２ａ）を介して下方に開放されるよう構成されている。
【００３５】
また照明具用凹部（４２）の上壁部における開口側端部には、凹部（４２）の幅方向に延びる長孔状の係止孔（４７）が形成されている。更に照明具用凹部（４２）の下壁部における開口側端部には、その凹部（４２）の幅方向に並んで２つの係止小孔（４８）が形成されている。そして後述するように、これらの係止孔（４７）及び係止小孔（４８）を介して、照明具用凹部（４２）の開口部に凹部カバー（４ｂ）が着脱自在に装着されるよう構成されている。
【００３６】
なお、本実施形態では、係止孔（４７）及び係止小孔（４８）が、照明具用凹部（４２）内から棒受け面（４３）及び固着面（４４）にまで貫通して設けられているが、本発明はそれだけに限られず、これらの孔を、底壁を有する凹部状に形成するようにしても良い。
【００３７】
図１ないし図３に示すように、ブラケット本体（４ａ）における照明具用凹部（４２）の開口部（４２ａ）には、その開口部（４２ａ）を閉塞するための閉塞板としての凹部カバー（４ｂ）が着脱自在に装着されている。この凹部カバー（４ｂ）は、照明具用凹部（４２）の開口部形状に対応する形状に形成されるものであって、ブラケット本体（４ａ）の第１傾斜部（４０ａ）に対応する部分と第２傾斜部（４０ｂ）に対応する部分とが一体成形された断面「く」の字状の板状体をもって構成されている。
【００３８】
更にこの凹部カバー（４ｂ）の先端部には、上記ブラケット本体（４ａ）側の係止孔（４７）に対応して係止突片（４４）が一体に形成されるとともに、基端部には、上記係止小孔（４８）に対応して、幅方向に並ぶ２つの係止小突片（４５）が一体に形成されている。そして係止突片（４４）が係止孔（４７）に係止されるとともに、係止小突片（４８）が係止小孔（４８）に係止されることにより、凹部カバー（４ｂ）がブラケット本体（４ａ）における照明具用凹部（４２）の開口部（４２ａ）に着脱自在に装着されるようになされている。
【００３９】
また凹部カバー（４ｂ）の屈曲部における裏面側には、その幅方向中央部に、屈曲部を跨って変形抑制リブ（４３ｃ）が突設して設けられ、凹部カバー（４ｂ）の有害な変形が防止されるよう構成されている。なお、図中（４ｃ）は、凹部カバー（４ｂ）を取り外す際に、指先や工具等を引っかけるための切欠部である。
【００４０】
ここで、凹部カバー（４ｂ）は、透明ないしは半透明の合成樹脂の成形品等により構成された透光性部材からなり、後述する照明具（５）が点灯した際にその照明光を透過して、周辺を照明できるよう構成されている。
【００４１】
なお、図２及び図３において、（４３ａ）は、照明具用凹部（４２）内における第１傾斜部（４０ａ）と第２傾斜部（４０ｂ）との境界線に対応する位置に設けられた補強用リブであり、このリブ（４３ａ）の開口側端縁に凹部カバー（４ｂ）が係合載置されるものとなされている。更に（４３ｂ）は、照明具用凹部（４２）の内側面に設けられた補強用リブであり、上記と同様、このリブ（４３ｂ）の開口側端縁に凹部カバー（４ｂ）が係合載置されるものとなされている。
【００４２】
以上の構成のブラケット（４）は、その固着面（４１ｂ）が、支持基板（３）の所定位置における配線用溝（３０）を上下に跨るように配置され、その状態で、照明具用凹部（４２）の内部からねじ等の第１の固着具（９ｂ）が取付孔（４６）に挿通されて、支持基板（３）における配線用溝（３０）の上下位置に螺着されることにより、支持基板（３）に固定されるものである。
【００４３】
ブラケット本体（４ａ）の照明具用凹部（４２）における下壁部の配線孔（４９）周縁には、雄側結合端子部材（５３ａ）が固定されている。この雄側結合端子部材（５３ａ）には、２本の給電線（７）が電気接続されており、これらの給電線（７）は、配線孔（４９）を通じて、ブラケット外部に引き出されている。更に２本の給電線（７ａ）のうち、一方側の給電線（７ａ）の端部には雄型コネクタ（８ａ）が取り付けられるとともに、他方側の給電線（７ｂ）の端部には雌型コネクタ（８ｂ）が取り付けられている。
【００４４】
図５及び図８に示すように、ブラケット本体（４ａ）の照明具用凹部（４２）内に設けられる照明具（５）は、青色発光ダイオードからなる発光体に透明ないしは半透明の樹脂製カバーが装着された照光体（５１）と、照光体（５１）を支持固定するための支持配電板（５２）と、支持配電板（５２）に設けられ、かつ上記雄側結合端子部材（５３ａ）に嵌脱自在なソケット状の雌側結合端子部材（５３ｂ）とを具備している。
【００４５】
支持配電板（５２）は、Ｌ型の形状を有し、その水平片先端の下面側に上記照光体（５１）が取り付けられるとともに、垂直片下端の外面側に上記雌側結合端子部材（５３ｂ）が取り付けられている。更に支持配電板（５２）には給電層が設けられており、その給電層を介して照光体（５１）及び雌側結合端子部材（５３ｂ）とが電気的に接続されている。
【００４６】
図２及び図３に示すように、この照明具（５）がブラケット本体（４ａ）の照明具用凹部（４２）内に収容された状態で、雌側結合端子部材（５３ｂ）が、ブラケット側の上記雄側結合端子部材（５３ａ）に嵌着される。この嵌着によって、両結合端子部材（５３ａ）（５３ｂ）が電気接続されるとともに、照明具（５）が凹部（４２）内で支持固定されて、照光体（５１）が、照明具用凹部（５２）のほぼ中央位置において下向きに配置される。
【００４７】
また図９に示すように、ブラケット（４）の固着面（４１ｂ）側から引き出された給電線（７ａ）（７ｂ）は、支持基板（３）の配線用溝（３０）内に引き込まれ、その給電線（７ａ）（７ｂ）のうち、一方側の給電線（７ａ）の雄型コネクタ（８ａ）が、配線用溝（３０）内において、一方に隣合うブラケット（４）における他方側の給電線（７ｂ）の雌型コネクタ（８ｂ）に結合されるとともに、他方側の給電線（７ｂ）の雌型コネクタ（８ｂ）が、配線用溝（３０）内において、他方に隣合うブラケット（４）における一方側の給電線（７ａ）の雄型コネクタ（８ａ）に結合される。これにより、各ブラケット（４）内の各照明具（５）が、電源に対して並列状態に電気接続される。
【００４８】
なお、給電線（７）間の結線する場合、一端に雄型コネクタが設けられ、他端に雌型コネクタが設けられた１ないし複数本の短尺電線を介して行うようにしても良い。この場合には、断線等の問題のある電線部分を簡単に取り替えることができ、給電線（７）等の配電部のメンテナンス作業等を容易に行うことができる。
【００４９】
各ブラケット（４）に支持される手摺棒（６）は、通路の側壁（２）に沿って長手方向に連続して延びる長尺な円形棒状の形状を有している。なお言うまでもなく、手摺棒（６）は、中実構造である必要はなく、パイプのような中空構造であっても良い。
【００５０】
この手摺棒（６）は、その材質が特に限定されるものではなく、例えばムク材、集成材、単板積層材（ＬＶＬ）、木粉が混入された合成樹脂成形品等の木質材からなるもの、ＡＢＳ樹脂、オレフィン系樹脂等の合成樹脂からなるもの、ステンレス、アルミニウム等の金属からなるもの、これらの材料の複合品からなるもの等を好適に使用することができる。中でも木質材からなるものは、手で触れた際に温かみが感じられる等、手触り感が良く、違和感を感じることなく、手摺棒（６）に手を添えて歩行することができるため、木質材製のものを使用するのが好ましい。なお、手摺棒（６）は、上記の材質からなる棒状体の表面に、合成樹脂皮膜等を巻回状態に貼着したものであっても良い。
【００５１】
また手摺棒（６）の寸法は、特に制限されることはなく、握り易さの観点から適宜決定すれば良く、具体的には直径２５〜５０ｍｍ程度に設定するのが好ましい。更に手摺棒（６）の形状も特に制限されるものではなく、握り易さの観点から適宜決定すれば良い。
【００５２】
本実施形態の手摺装置は、上記の構成を有し、例えば以下のようにして階段等の通路における側壁（２）に施工される。
【００５３】
まず、側壁（２）の通路側の面（内面）における所定位置に支持基板（３）を沿わせるように配置した状態で、固着具を支持基板（３）に貫通して側壁裏面の間柱やスタッド等に固定する。これにより、支持基板（３）を側壁（２）の内面に通路に沿って配置した状態で強固に固定する。
【００５４】
なお、固着具としては、釘、スクリューネイル等の釘類や、木ねじ、タッピングビス等のねじ類を使用することができる。更にこの固定に際しては、接着剤や両面粘着テープ等を併用するこもできる。
【００５５】
続いて、ブラケット本体（４ａ）を取り付けるが、この取付時には、ブラケット本体（４ａ）の照明具用凹部（４２）内には、雄型結合端子部材（５３ａ）が固定されるものの、照明具（５）や凹部カバー（４ｂ）は取り外しておく。
【００５６】
そのブラケット本体（４ａ）の雄型結合端子部材（５３ａ）に接続された給電線（７）を支持基板（３）の配線用溝（３０）内に収容しつつ、ブラケット本体（４ａ）の固着面（４１ｂ）を、支持基板（３）の所定位置における配線用溝（３０）を上下に跨るように配置し、その状態で、照明具用凹部（４２）の内部からねじ等の第１の固着具（９ｂ）を取付孔（４６）に挿通して、支持基板（３）における配線用溝（３０）の上下位置に螺着する。こうして複数のブラケット本体（４ａ）を支持基板（３）にその長手方向に沿って所定の間隔おきに固定する。
【００５７】
一方、このブラケット本体（４ａ）の取付作業と並行するようにして、各ブラケット本体（４ａ）間において、雄型結合端子部材（５３ａ）に接続された給電線（７）の結線作業を行う。すなわち、支持基板（３）の配線用溝（３０）内において、最初に取り付けられるブラケット本体（４ａ）の一方側給電線（７ａ）の雄型コネクタ（８ａ）に、後に取り付けられるブラケット本体（４ａ）の他方側給電線（７ｂ）の雌型コネクタ（８ｂ）を結合するものである。
【００５８】
次に、手摺棒（６）を、各ブラケット本体（４ａ）の棒受け面（４１ａ）を跨るようにして、各棒受け面（４１ａ）上に載置し、その状態でブラケット本体（４ａ）の照明具用凹部（４２）の内部からねじ等の第２の固着具（９ａ）を取付孔（４６）に挿通して手摺棒（６）に螺着する。
【００５９】
なお、ブラケット（４）及び手摺棒（６）固定用の固着具（９ａ）（９ｂ）としては、上記ねじ以外に、例えば釘、スクリューネイル等の釘類を用いることができるが、取付作業性の観点からは、木ねじ、タッピングねじ等のねじ類を用いるのが好ましい。
【００６０】
続いて、ブラケット本体（４ａ）の照明具用凹部（４２）内に照明具（５）を収容し、その照明具（５）の雌側結合端子部材（５３ｂ）をブラケット本体（４ａ）側の雄側結合端子部材（５３ａ）に嵌着して、照明具（５）を各ブラケット本体（４ａ）に取り付ける。
【００６１】
その後、ブラケット本体（４ａ）における照明具用凹部（４２）の開口部（４２ａ）に凹部カバー（４ｂ）を取り付ける。この取付時には、凹部カバー（４ｂ）の上端における係止突片（４４）を、照明具用凹部（４２）の上端における係止孔（４７）に差し込んで係止し、その状態で凹部カバー（４ｂ）を凹部（４２）側に強く押し込むことによって、凹部カバー（４ｂ）を弾性変形させつつ、その下端の係止小突片（４５）を、照明具用凹部（４２）の下端における係止小孔（４８）（４８）に差し込んで係止するものである。
【００６２】
そして最後に、溝カバー（３ｂ）を、支持基板（３）における配線用溝（３０）の開口部（３０ａ）に、その溝（３０）の露呈部分（ブラケットが取り付けられていない部分）を被覆するように取り付ける。すなわち溝カバー（３ｂ）をその鈎状係止リブ（３２）を支持基板（３）の配線用溝（３０）に対向させた状態で、配線用溝（３０）側に強く押し込む。これにより、鈎状係止リブ（３２）が、その係止膨出部（３２ｂ）の案内面が溝（３０）の内壁面に押されて、内側に弾性変形しながら奥まで押し込まれた後、リブ（３２）が外側に復元して、係止膨出部（３２ｂ）が溝（３０）の内側面に押圧することにより、溝カバー（３ｂ）が配線用溝（３０）に強固に取り付けられる。
【００６３】
こうして本実施形態の手摺装置が組み付けられる。
【００６４】
なお言うまでもなく、本発明の手摺装置は、上記の施工手順に限定されるものではなく、どのような手順で施工しても良い。
【００６５】
本実施形態の手摺装置によれば、ブラケット（４）の凹部（４０）内に照明具（５）を収容するとともに、その凹部（４２）の開口部（４２ａ）を透光性の凹部カバー（４ｂ）により閉塞するものであるため、照明具（５）がブラケット外表面に全く露出されることがない。このため、昼間等において、照明具（５）が目立つようなことがなく、良好な美観を得ることができる。更に照光体（５１）等に歩行者やその手荷物等が接触したり引っ掛かったりするようなこともなく、照光体（５１）の損傷破損を確実に防止することができる。
【００６６】
また夜間等の点灯時においては、照光体（５１）からの照明光を、透光性凹部カバー（４ｂ）に透過させて、周辺を照明するものであるため、照明光は、カバー（４ｂ）の透過により散乱光となるとともに、照光体（５１）がブラケット内に配置されて、照光体（５１）が直接視認されることがなく、間接照明となるため、ブラケット（４）の通路側における所要領域が適度な明るさに照明されて、周囲の暗所とのバランスが良く、良好な装飾効果を得ることができる。
【００６７】
また球切れ等により照光体（５１）を取り替える場合には、凹部カバー（４ｂ）を取り外した後、照明具（５）を抜き取って、新たな照明具（５）を嵌着するだけで簡単に、照光体（５１）を交換することができる。
【００６８】
更に照光体（５１）は、支持配電板（５２）を介して、ブラケット（４）の照明具用凹部（４２）内におけるほぼ中間位置に配置されるため、点灯時には、ブラケット（４）の通路側における先端から基端にかけてのほぼ全域が、適度な明るさで照明され、より一層優れた装飾効果を得ることができる。
【００６９】
また本実施形態においては、ブラケット（４）から引き出された給電線（７）が、支持基板（３）の配線用溝（３０）内に収容されるとともに、その溝（３０）が溝カバー（３ｂ）によって被覆されるものであるため、給電線（７）が一切露出されることがなく、一層良好な美観を得ることができる。
【００７０】
更にブラケット（４）や手摺棒（６）を取り付けるための固着具（９ａ）（９ｂ）が、ブラケット（４）の凹部（４２）内に配置されるとともに、その凹部（４２）が凹部カバー（４ｂ）によって閉塞されるものであるため、これらの固着具（９ａ）（９ｂ）も確実に隠蔽することができ、より一層良好な美観を得ることができる。
【００７１】
また本実施形態においては、ブラケット（４）を支持基板（３）にビス止め固定した後、ブラケット（４）内に照明具（５）を取り付けるものであるため、ブラケット（４）のビス止め時に、ドライバー等によって、照明具（５）を傷付けてしまうようなことがないので、ブラケット（４）のビス止め作業を効率良く行うことができ、ブラケット（４）の取付作業、ひいては手摺装置（１）の組付施工作業を容易に行うことができる。
【００７２】
またブラケット（４）は、支持基板（３）を介して側壁（２）に取り付けられるものであるため、ブラケット（４）を所望の位置に強固に取り付けることができる。すなわち、ブラケット（４）を側壁（２）に直接取り付ける場合には、取付強度を考慮して、ブラケット（４）を間柱等の位置に取り付ける必要があり、取付位置が制限されてしまう。これに対し、本実施形態では、ブラケット（４）を支持基板（３）を介して側壁（２）に取り付けるものであるため、支持基板（３）のいずれの位置にも取り付けることができるので、取付位置が制限されず、汎用性に優れるとともに、十分な取付強度を得ることができる。従って、本実施形態の照明付き手摺装置（１）は、新築に限られず、リフォームにも好適に用いることができる。
【００７３】
更に、照光体（５１）として、発光ダイオードを用いているため、経済的であり、樹脂製の凹部カバー（４ｂ）の熱変形等の高温障害を防止することができる上、電球等の他の照光体と比較して、穏やかな柔らかい照明を演出することができる。
【００７４】
また、複数のブラケット（４）に設けられる各照明具（５）は、それぞれ電源に対し並列に接続されるものであるため、１箇所の断線により全ての照光体（５１）が消灯するような不具合を回避することができる。しかも、給電線（７）における断線等の異常部分の位置を予測し易く、メンテナンス作業を一層簡便に行うことができる。
【００７５】
更に本実施形態の手摺装置（１）においては、ブラケット（４）に照明具（５）を取り付けるものであるため、手摺棒（６）を伝って歩行する場合に、手等によって照明光が遮られることがなく、所定領域を確実に照明することができるので、歩行者により一層の安心感を与えることができる。
【００７６】
また、本実施形態においては、凹部カバー（４ｂ）及び溝カバー（３ｂ）が照明具用凹部（４２）及び配線用溝（３０）に着脱自在に取り付けられているため、これらを取り外すことにより、給電線（７）を露呈させることができ、問題のある給電線（７）の部分を簡単に交換することができ、より一層メンテナンス作業を簡便に行うことができる。更に照明具用凹部（４２）及び配線用溝（３０）は、それぞれ通路側に開口しているため、通路側から作業により、照明具（５）や給電線（７）の交換作業等を行うことができ、一段と、メンテナンス作業を簡便に行うことができる。
【００７７】
なお、上記実施形態においては、側壁（２）に支持基板（３）を介してブラケット（４）を固定するようにしているが、本発明はそれだけに限られず、側壁に直接ブラケットを固定するようにしても良い。
【００７８】
また上記実施形態においては、凹部カバー（４ｂ）として、細長形状の略板状体からなるものを用いているが、本発明はそれだけに限定されることはなく、例えば凹部カバー（４ｂ）が、立体形状に形成されたものであっても良い。
【００７９】
更に上記実施形態において、ブラケット（４）の形状は、側面視「く」の字状に形成されているが、それだけに限られず、円弧状や、Ｌ字状、斜めに立ち上がった棒状等に形成されていても良い。
【００８０】
また凹部カバー（４ｂ）及び溝カバー（３ｂ）の照明具用凹部（４２）及び配線用溝（３０）に対する装着方式は、上記実施形態のものだけに限定されることはなく、各カバーを着脱自在に装着できる方式であれば、どのような方式を用いても良い。
【００８１】
更に上記実施形態においては、照光体（５１）として、発光ダイオードからなるものを用いているが、本発明はそれだけに限定されることはなく、例えば電球等を用いるようにしても良い。
【００８２】
また上記実施形態においては、照光体（５１）を、ブラケット（４）内の中間位置に配置するようにしているが、本発明はそれだけに限られず、照光体を、ブラケット（４）の先端位置や基端位置に配置するようにしても良い。
【００８３】
【発明の効果】
以上のように、本発明の照明付き手摺装置によれば、ブラケットの凹部内に照明具を収容するとともに、その凹部開口を透光性凹部カバーにより閉塞するものであるため、照明具がブラケット外表面に全く露出されることがなく、良好な美観を得ることができるとともに、照明具に歩行者やその手荷物等が接触したり引っ掛かって照明具が損傷破損する等の不具合を確実に防止することができる。また夜間等の点灯時において、照明具からの照明光は、透光性凹部カバーに透過して散乱光となるとともに、発光部が直接視認されることなく、間接照明となるため、ブラケットの通路側が適度な明るさに照明されて、周囲の暗所とのバランスが良く、良好な装飾効果を得ることができる。更に球切れ等により照明具を取り替える場合には、凹部カバーを取り外した後、照明具を抜き取って、新たな照明具を嵌着するだけで簡単に取り替えることができ、メンテナンス作業を容易に行うことができる。なお本発明においては、手摺装置を施工するに際して、ビス止め等によってブラケットを固定した後、照明具を取り付けた場合、ビス止め時にドライバー等の固定治具によって照明具を傷付けてしまうようなことがないので、ビス止め作業を効率良く行うことができ、ひいては手摺装置全体の施工作業を容易に行うことができるという効果がある。
【００８４】
本発明において、照明具の照光体を、支持部材を介して所定位置に配置する場合には、照光体を所望の位置に配置できるため、照光体によって最適な領域を照明することができ、より一層良好な装飾効果を得ることができるという利点がある。
【００８５】
本発明において、ブラケット取付用の支持基板に配線用溝を形成し、その配線用溝に、給電線を収容して溝カバーを着脱自在に取り付ける覆う場合には、給電線を確実に隠蔽できて、一層良好な美観を得ることができる一方、溝カバーを取り外すことにより、給電線の交換等のメンテナンス作業を簡単に行うことができるという利点がある。
【００８６】
本発明において、ブラケットや手摺棒を固定するための固着具を、ブラケットの照明用凹部内に配置する場合には、これらの固着具を隠蔽することができるので、より一層、美観を向上させることができるという利点がある。
【図面の簡単な説明】
【図１】この発明の実施形態である照明付き手摺装置を示す斜視図である。
【図２】実施形態の手摺装置を分解して示す斜視図である。
【図３】図１のＩＩＩ　−ＩＩＩ　線断面図である。
【図４】図１のＩＶ−ＩＶ線断面図である。
【図５】実施形態に適用された照明具付きブラケット本体をその照明具を分離した状態で示す側面断面図である。
【図６】実施形態に適用されたブラケット本体を示す正面図である。
【図７】実施形態のブラケット本体を示す底面図である。
【図８】実施形態に適用された照明具を示す図であって、同図（ａ）は側面図、同図（ｂ）は正面図である。
【図９】実施形態の手摺装置における照明具の給電線接続状態を示す模式図である。
【符号の説明】
１…照明付き手摺装置
２…側壁
３…支持基板
３ｂ…溝カバー
３０…配線用溝
４…ブラケット
４ｂ…凹部カバー
４２…照明具用凹部
４２ａ…開口部
５…照明具
５１…照光体
５２…支持配電板（支持部材）
５３ａ…雄側結合端子部材
５３ｂ…雌側結合端子部材
６…手摺棒
７、７ａ、７ｂ…給電線
９ａ、９ｂ…固着具
【図１】
2004060252.tif 000003
【図２】
2004060252.tif 000004
【図３】
2004060252.tif 000005
【図４】
2004060252.tif 000006
【図５】
2004060252.tif 000007
【図６】
2004060252.tif 000008
【図７】
2004060252.tif 000009
【図８】
2004060252.tif 000010
【図９】
2004060252.tif 000011